(57)【要約】【課題】ガードが取り外された状態でも、上半身が左右に振られないように子供の着座姿勢を保持することができること、ガードの使用においては子供の乗り降りに便利で、しかも、違和感を与えないこと、取扱い性と安定性をさらに高めることにある。【解決手段】手押し棒７、着座シート２の略下方位置に足載せステップ９、着座シート２に座る子供を保護するガード８をそれぞれ備えている子供用三輪車Ａであって、着座シート２の背凭れ部２ｂに、両側から車体１前方に向けて、かつ、背凭れ部２ｂの上辺部１１高さにて張り出すように突出させたサイドガード部１０を備えている。また、ガード８は、適度の可撓性を有する材料から適宜の長さで、両端部側が、両側のサイドガード部１０に連結機構１２を介してそれぞれ取り付けられる。【選択図】図１
0003160614.tif 000002
【実用新案登録請求の範囲】
【請求項１】
車体後部に手押し棒を備え、車体の略中央付近の着座シートの略下方位置両側に足載せステップをそれぞれ備え、さらに、前記着座シートに座る子供を囲繞状に保護するガードを備えて構成されている子供用三輪車であって、
前記着座シートの背凭れ部に、両側から車体前方に向けて張り出すように突設させたサイドガード部を備えていることを特徴とする子供用三輪車。
【請求項２】
前記両側のサイドガード部は、前記背凭れ部の上辺部の高さと略同じ高さにて形成されていることを特徴とする請求項１に記載の子供用三輪車。
【請求項３】
前記ガードは、適度の可撓性を有する材料から適宜の長さで、両端部側が、前記両側のサイドガード部に連結機構を介して着脱可能に取り付けられるように形成されていることを特徴とする請求項１または２に記載の子供用三輪車。
【請求項４】
前記足載せステップは、回動腕杆を介して前記車体に、足を載せる状態から車体の後方へ回動格納可能に備えられ、かつ、足載せ部に足を保護する保護部材を備えているとともに、該保護部材を含めて前記足載せ部に確保される足載せスペースの長さが可変可能と成していることを特徴とする請求項１〜３の何れかに記載の子供用三輪車。
【考案の詳細な説明】
【技術分野】
【０００１】
本考案は、子供用三輪車に係り、特に、車体後部に保護者用の手押し棒を備えている三輪車に関する。
【背景技術】
【０００２】
三輪車を乗り始めて間もない子供、例えば、前輪の車軸に取り付けられている左右の足踏みペダルを交互にこぎながら自力で走行することができない子供などを保護者が補助する目的で、車体の後部に保護者用の手押し棒を備えている幼児用三輪車は知られている（例えば、特許文献１および２などを参照）。
【０００３】
ところで、三輪車を乗り始めて間もない子供などを着座シート（サドル）に座らせて保護者が手押し棒を押して走行を手助けする場合、子供は操作ハンドルを握り、走行方向を自分で操舵するものであるが、操作ハンドルを左右に操舵したときに、子供の体、特に、尻から上半身が操舵方向に振られて着座シートからずり落ちるおそれがある。
【０００４】
また、保護者の手助けを受けずに、子供が足踏みペダルを踏んで自力で走行する場合には、足踏みペダルを踏み込んだ側に前輪が振られて着座シートからずり落ちるおそれがある。
つまり、三輪車の前輪（操縦輪）は、足踏みペダルを踏み込んで力を加えると、力を加えた側に振れる傾向が見られることから、子供は前輪が左右に振れないように操作ハンドルを強く握るように押さえながら乗っている。すると、尻の着座シートに対する着座が不安定になり、子供の体、特に、上半身も前輪が振られている方向に振られて着座シートからずり落ちるおそれがある。
【０００５】
そこで、子供の着座姿勢を（乗車姿勢）を安定させるために、特許文献２に記載されているように、背凭れ部を有する着座シートを採用する。さらに、特許文献１に記載されているように、足踏みペダルを踏まないときなどに、両足を載せておくための足載せステップ（補助ペダルロッド）を車体の幅方向両側に備えるなどによって対応していた。
【０００６】
また、子供の上半身を囲繞状に保護するためのガードを備えている三輪車も知られている（例えば、特許文献３などを参照）。
【先行技術文献】
【特許文献】
【０００７】
【特許文献１】実用新案登録第３０８３９２５号公報
【特許文献２】特開２００６−３０６３８６号公報
【特許文献３】特開２００４−１３６７１３号公報
【考案の概要】
【考案が解決しようとする課題】
【０００８】
しかしながら、特許文献１および特許文献２に記載されている従来技術では、着座姿勢を安定させる上で十分とは言えず、操作ハンドルを左右に操舵したときに、子供の上半身が操舵方向（車体幅方向）に振られることを確実に抑止することが望めず、着座シートからずり落ちるおそれが残されていた。
【０００９】
一方、特許文献３に記載されている従来技術では、足踏みペダルを踏まないときなどに、両足を載せておくための足載せステップを備え、着座シートには背当て部を備え、さらに、子供の上半身を囲繞状に保護するガードを備えている構成を採用しているなどによって、子供の上半身が操舵方向に振られることを防ぐ抑止効果は得られる。つまり、着座シートへの着座姿勢を安定させることができる。
しかしながら、この特許文献３では、ガードの芯材がアルミや金属などの金属製パイプから形成されているために、重量が重くなり、さらに、子供に違和感などを与え易く、子供が使用を嫌がるなどの使用上の課題が残されていた。
【００１０】
また、着座シートから子供がずり落ちないように取り付けられているガードや足載せステップは、子供が徐々に成長し、やがて左右の足踏みペダルをこぎながら自力で走行することができるようになった子供には、不必要となり、子供にとってはガードや足載せステップがかえって邪魔な存在になってくる。そのため、子供が成長したときには、ガードや足載せステップは三輪車から取り外される。
【００１１】
このように、着座シートから子供がずり落ちないように取り付けられているガードは、自力で乗れるまで子供が成長したときには取り外されるものであるが、三輪車は、前記したように、足踏みペダルを踏み込んだ側に前輪が振られ、それに伴い子供の体が振られて着座シートからずり落ちるおそれが残されている。
【００１２】
そこで、本考案は、ガードが取り外された状態でも、子供の体が左右に振られないように子供の着座姿勢を保持することができること、ガードの使用においては子供の乗り降りに便利で、しかも、違和感を与えず、軽量であること、取扱い性と安定性をさらに高めること、などを目的とする。
【課題を解決するための手段】
【００１３】
前記課題を解決するために、本考案では、車体後部に手押し棒を備え、車体の略中央付近の着座シートの略下方位置に足載せステップを備え、さらに、着座シートに座る子供を囲繞状に保護するガードを備えている子供用三輪車であって、
前記着座シートの背凭れ部に、両側から車体前方に向けて張り出すように突設させたサイドガード部を備えたことを特徴とする。
ここで、前記両側のサイドガード部は、前記背凭れ部の上辺部の高さと略同じ高さにて形成されていることが好適なものとなる。
また、前記ガードは、適度の可撓性を有する材料から適宜の長さで、両端部側が、前記両側のサイドガードに連結機構を介して着脱可能に取り付けられるように形成されていることが好適なものとなる。
また、前記足載せステップは、回動腕杆を介して前記車体に、足を載せる状態から車体の後方へ回動格納可能に備えられ、かつ、足載せ部に足を保護する保護部材を備えているとともに、該保護部材を含めて前記足載せ部に確保される足載せスペースの長さが可変可能と成していることが好適なものとなる。
【００１４】
このような構成によれば、ガードを取り外した状態において、着座シートへの子供の着座姿勢を背凭れ部に備えられているサイドガード部にて両側から保持することができる。つまり、足踏みペダルを踏み込んだ側に振られる子供の上半身をサイドガード部にてガード（保持）することで、着座シートへの着座姿勢を安定させることができる。また、サイドガード部は、背凭れ部の上辺部の高さと略同じ高さとする両側から人間の両肩のように張り出すように備えられていることで、サイドガード部を利用して、例えば、子供用のリックサックなどの両肩掛けカバンを掛けた状態で背凭れ部に装着することができる。
【００１５】
一方、ガードを取り付けた状態において、可撓性を有するガードの使用によって、子供に違和感などを与えない。
また、足載せステップの足載せ部に保護部材を備えた構成を採用していることで、走行中に、足を車体の前方などに移動させることを抑制し、前輪などの回転部分に足が挟まれることを防ぐ。また、小石やその他の障害物に足をぶつけることがないように子供の足を保護する。
また、足載せステップを車体後方へ回動格納させたときには、保護部材を含めた足載せ部の足載せスペースの長さを使用状態のときよりも短く可変しておくことで、足踏みペダルを踏み込まずに、両足で地面を交互に蹴りながら乗る場合などに、足載せステップは邪魔にならない。つまり、車体の後方に回動格納された足載せステップと地面との間隔を、足載せスペースの長さを短く可変したことで広くすることができ、車体の後方に蹴り込んだ足のかかどなどが足載せステップに当たることを防ぐ。
【考案の効果】
【００１６】
本考案によれば、ガードを車体から取り外した状態での使用においも、サイドガード部によって、子供の体(特に、上半身)が左右へ振れることを防止することができる。
これにより、ガードを必要とせず、足踏みペダルを交互にこぎながら自力で走行することができるようになった子供の着座シートへの着座姿勢を安定させて、安全に乗車させることができる。しかも、サイドガード部を利用して、例えば、子供用のリックサックなどの両肩掛けカバンを掛けた状態で背凭れ部に装着することができる。
【００１７】
また、ガードを必要とする子供が着座シートに着座（乗車）したときに、上半身を囲繞状に保護するガードが子供の体に接しても、可撓性を有していることから、子供にゴッツイ感などの違和感を与えることがない。
また、ガードが可撓性を有しているから、着座シートのサイドガードに連結機構を介して着脱可能に取り付けられている左右何れか一方の端部側を取り外し、ガードの可撓性を利用して外側へ大きく開くことができる。
これにより、左右どちらからでも乗り降りし易くなるなどの取扱い性が格段に向上された子供用三輪車となる。
【００１８】
また、着座シートの略下方位置両側において、回動格納可能に備えられている両側の足載せステップの足載せ部に載せられた足は、保護部材によって車体の前方などへ移動させることを抑制される。また、地面の小石やその他の障害物から保護される。
これにより、保護者が手押し棒により手助けしての走行中に、足が前輪などの回転部分に挟み込まれることや、小石やその他の障害物に誤って足をぶつけるなどの危険を軽減することができる。
また、足載せステップを使用しないときの車体の後方への回動格納状態においては、車体後方に蹴り込まれた足のかかとなどが足載せステップに当たるなどの危険がない安全性の面においても改善された子供用三輪車となる。
【図面の簡単な説明】
【００１９】
【図１】本実施形態に係る子供用三輪車を示す斜視図である。
【図２】同子供用三輪車を示す側面図である。
【図３】同子供用三輪車を示す平面図である。
【図４】本実施形態に係る着座シートおよびガードを示す斜視図で、ガードの一端側に取り付けられる連結機構の一方側を分解した状態で示す。
【図５】同着座シートに対する同ガードの取り付けを示す要部の拡大横断面図である。
【図６】本実施形態に係る手押し棒を示す斜視図である。
【図７】図６のａ−ａ線縦断面図であり、（ａ）は、長杆位置でのロック状態を示し、（ｂ）は、曲げ位置でのロック状態を示す。
【図８】図７のａ−ａ線縦断面図であり、（ａ）は、ロック状態を示し、（ｂ）は、ロック状態が解除された状態を示す。
【図９】本実施形態に係る回動連結機構を示す分解斜視図である。
【図１０】本実施形態に係る足載せステップを示す分解斜視図である。
【図１１】同足載せステップの縦断側面図である。
【図１２】同足載せステップを車体後方に回動核のさせた状態を示す側面図である。
【考案を実施するための形態】
【００２０】
以下、本考案の実施形態について、適宜図面を参照しながら詳細に説明する。
図１は、本実施形態に係る子供用三輪車を示す斜視図であり、図２および図３は、同側面図および同平面図である。
なお、図示および詳細な説明については省略するが、本実施形態に係る子供用三輪車（以後、単に「三輪車」と称する）Ａは、車体１のメインフレーム１ａ内を通して、車体１前部の前輪フォーク５と、車体１後部の手押し棒７が保持される保持筒部７０内の手押し棒連結回動部とにわたり操舵機構が組み込み内蔵されていて、手押し棒７にて前輪４の操作ハンドル６を操舵、つまり、車体１の走行方向を手押し棒７にて操舵し得るように構成されている。
【００２１】
≪三輪車の構成≫
三輪車Ａは、車体１を備えている。この車体１は、図１および図２に示すように、着座シート２を取り付けるためのメインフレーム１ａと、このメインフレーム１ａの前端に取り付けられるステアリング・ヘッドパイプ１ｂと、メインフレーム１ａの途中部位から車体１の後方に左右二又に分かれて斜め下方に向けて延出するように取り付けられる後部フレーム１ｃとを備えて形成されている。
また、車体１は、図１および図３に示すように、二又に分かれる左右の後部フレーム１ｃの延出後端の間にわたるように取り付けられる後輪車軸筒１ｄを備えている。
そして、メインフレーム１ａ前端のステアリング・ヘッドパイプ１ｂの下側から足踏みペダル３を備えた前輪４を図示省略の車軸を介して回転可能に支持する前輪フォーク（フォーク軸）５を嵌め挿し込み、上側から操作ハンドル（ハンドル軸）６を嵌め挿し込むことで、前輪フォーク５と操作ハンドル６とが一体となって回動するようにステアリング・ヘッドパイプ１ｂに支持される。
【００２２】
また、三輪車Ａは、図１〜図３に示すように、メインフレーム１ａの後部に手押し棒７を備え、着座シート２に座った子供が着座シート２からずり落ちないように囲繞状に保護するためのガード８を備えている。さらに、三輪車Ａは、ガード８を必要とする子供を乗せたときに、着座シート２に座った子供が両足を載せるための足載せステップ９を備えている。
【００２３】
≪着座シートの構成≫
図４は、本実施形態に係る着座シートおよびガードを示す斜視図で、ガードの一端側に取り付けられる連結機構を分解した状態で示す。図５は、同着座シートに対する同ガードの取り付けを示す要部の拡大横断面図である。ここでは、図１〜図３を適宜参照しながら説明する。
着座シート２は、合成樹脂材料や内部にウレタン材を有するレザー張りやビニール張りなどによって剛体に形成されている。この着座シート２は、座部２ａと、座部２ａに座った子供の尻から背中の略全体を受ける所望の高さにて座部２ａから一体に立ち上がる背凭れ部２ｂとを備えて形成されている。座部２ａは、子供の尻を床ずれなどから保護する目的で、ウレタン材を内在させてレザー張りやビニール張りが施されている。
そして、着座シート２は、図３および図４に示すように、背凭れ部２ｂの両側から車体１の前方に向けて張り出すように突設させた両側のサイドガード部１０を備えている。
【００２４】
≪サイドガード部の構成≫
サイドガード部１０は、ガード８を必要とする子供からガード８を必要としない子供の上半身が、走行時などに左右に振れて着座シート２からずり落ちることを防ぐ役目を成す。つまり、ガード８を必要とする子供の場合は、ガード８との協同でずり落ちることを防ぎ、また、ガード８を必要としない子供の場合には、単独でずり落ちることを防ぐ役目をなすものである。
【００２５】
このサイドガード部１０は、図４に示すように、背凭れ部２ｂの上辺部１１の高さと略同じ高さにて車体１の前方に張り出すように形成されている。詳しくは、図３に示すように、背凭れ部２ｂの上辺部１１と連設平面視形状が略半月形状を成すように、背凭れ部２ｂの両側から車体１の前方に向けて形成されている。
【００２６】
このように、背凭れ部２ｂの両側にサイドガード部１０を備えている着座シート２によれば、子供の体、特に、上半身が左右に振れないようにサイドガード部１０によって保持（ガード）される。これにより、ガード８を必要としない子供が走行中、左右に振られるなどにより着座シート２からずり落ちることを防ぐことができる。
そして、背凭れ部２ｂの上辺部１１の高さと略同じ高さにて車体１の前方に張り出すように備えられているサイドガード部１０を利用して、図１〜図３に二点鎖線でそれぞれ示されているように、子供用のリックサックなどの両肩掛けカバンＢをサイドガード部１０に掛けた状態で背凭れ部２ｂに装着することができる。つまり、子供が喜ぶなどの商品としての付加価値が図られた三輪車Ａとなる。
【００２７】
そして、このように背凭れ部２ｂの両側にサイドガード部１０を備えている着座シート２には、図１〜図３に示すように、サイドガード部１０の外側に位置して取り付けられるガード８が備えられる。
【００２８】
≪ガードの構成≫
ガード８は、着座シート２に座る子供が走行中などにおいて着座シート２からずり落ちないように囲繞状に保護するためのものであり、適度の可撓性を有する合成樹脂材料などの所望な材料からなる帯状の芯材８ａを備え、この芯材８ａの外側をウレタンやその他の軟質材料から筒状に形成されている被覆体８ｂにて被覆してなる。
このガード８は、図１から図３に示すように、平面視で略半円形状（略Ｃ型形状）を呈する形態にて両端側が、着座シート２の両側のサイドガード部１０に連結機構１２を介して着脱自在に取り付けられる長さに形成されている。つまり、着座シート２に座った子供の上半身を着座シート２の背凭れ部２ｂおよび両側のサイドガード部１０によって囲繞状に包囲保護し得る長さに形成されている。
そして、このように形成されているガード８の両端側は、連結機構１２を介して着座シート２のサイドガード部１０の外側に位置して抜き挿し着脱自在に取り付けられる。
【００２９】
≪連結機構の構成≫
連結機構１２は、ガード８の両端側にそれぞれ取り付けられる雄側部材１３と、着座シート２の両側のサイドガード部１０にそれぞれ取り付けられる雌側部材１４とから構成されている。
雌側部材１４は、合成樹脂材料などの所望な材料を用いて略横長矩形形状を呈する略台座状に形成されて、取付けネジ１５を用いてサイドガード部１０の外側に固定的に取り付けられるようになっている。
そして、雌側部材１４は、座面側における一側短辺側を除く、両側長辺側から他側短辺側に連なるように立上り縁部１６を備えているとともに、両側長辺における立上り縁部１６の根元内側に長手方向に延びる係止溝１７を備えている。
また、雌側部材１４は、立上り縁部１６の間内における所定部位に係止孔（係止凹部）１８を備えている。この係止孔１８は、適宜の大きさを有する角形形状に開口されて、雄側部材１３の後記する係止爪部１９が係脱自在に挿入係止されるようになっている。
【００３０】
一方、雄側部材１３は、ガード８の両端側（芯材８ａの両端部）にそれぞれ取り付けられて、雌側部材１４に対してスライド自在に係脱連結させるものであり、連結本体部１３ａと、この連結本体部１３ａに組み込まれる係止兼解除操作部１３ｂとを備えて構成されている。
【００３１】
連結本体部１３ａは、合成樹脂材料などの所望な材料を用いて、雌側部材１４の開放する一側短辺側から立上り縁部１６間内にスライド挿入される大きさの略横長矩形形状に形成され、かつ、締結ネジ５７によって締結される長辺方向に２分割された形態をなしている。
そして、この連結本体部１３ａは、一側短辺側が、ガード８の両端側に備えられている取付端部８ｃにピン部材２０を用いて取り付けるためのピン止め孔２１を備え、両側長辺側には、雄側部材１４の係止溝１７に対してスライド自在に係止させるための係止部１７ａを備えている。
【００３２】
係止兼解除操作部１３ｂは、連結本体部１３ａと同じく合成樹脂材料などの所望な材料を用いて形成されている。この係止兼解除操作部１３ｂは、２分割されている連結本体部１３ａ内に揺動可能に組み込まれた状態で、連結本体部１３ａの表面側に開口されている表側窓孔２２から外部に突出させる係止解除部２３と、連結本体部１３ａの裏面側に開口されている裏側窓孔２４から外部に突出させる係止爪部１９とを備えて形成されている。
【００３３】
そして、雄側部材１３は、このように形成されている係止兼解除操作部１３ｂが連結本体部１３ａ内に揺動可能に組み込まれた状態で、係止爪部１９を裏側窓孔２４から外部突出方向に常時付勢するようにバネ材２５を連結本体部１３ａ内に組み込み備えている。つまり、連結本体部１３ａを、雌側部材１４に対してスライド挿入（スライド前進）させたときに、係止爪部１９を、弾発作用によって雌側部材１４の係止孔１８に挿入係止させ、かつ、当該係止方向に係止爪部１９を常時付勢するためのバネ材２５を連結本体部１３ａ内に組み込み内在している。
【００３４】
このように構成されている連結機構１２によれば、ガード８の両端側にそれぞれ取り付けられる雄側部材１３の連結本体部１３ａを、着座シート２の両側のサイドガード部１０側に取り付けられる雌側部材１４に対し、該雌側部材１４の開放する一側短辺側から立上り縁部１６の係止溝１７に対して係止部１７ａを係止させるようにスライド前進させることで、連結本体部１３ａに組み込まれている係止兼解除操作部１３ｂの係止爪部１９が、雌側部材１４の係止孔１８にバネ材２５によって挿入係止される。
これにより、雄側部材１３は、係止部１７ａの係止溝１７に対するスライド係止と係止爪部１９の係止孔１８に対するバネ材２５による挿入係止とによって、雌側部材１４に連結される。つまり、ガード８の両端側が着座シート２のサイドガード部１０に取り付けられる。
【００３５】
そして、雄側部材１３は、連結本体部１３ａの表面窓孔２２から外部に突出している係止兼解除操作部１３ｂの係止解除部２３を親指などで押すプッシュ操作によってバネ材２５の付勢方向に抗して係止兼解除操作部１３ｂを揺動させることにより、係止爪部１９の係止孔１８に対する係止状態（ロック状態）が解除され、この状態で連結本体部１３ａをスライド後退させることによって、雌側部材１４から抜き外される。つまり、ガード８の両端側は着座シート２のサイドガード部１０から取り外される。
【００３６】
≪手押し棒の構成≫
つぎに、手押し棒７について説明する。
図６は、本実施形態に係る手押し棒を示す斜視図であり、図７および８図は、要部を拡大して示す縦断面図である。
手押し棒７は、金属やその他の材料からなるパイプを用いてそれぞれ形成されている。この手押し棒７は、図６に示すように、上側杆部７ａおよび下側杆部７ｂ、上側杆部７ａの上端側に取り付けられる掴持部（操舵部）７ｃから構成されている。
そして、手押し棒７は、下側杆部７ｂの下端側を車体１後部の保持筒部７０に上方から挿入させて、下端側外周の連結ピン７１によって図示省略の手押し棒連結回動部に同軸回動可能に連結されることで、保持筒部７０に保持されるように形成されている。つまり、自力で走行することができない子供を保護者が手助けする。
また、手押し棒７は、図７および図８に示すように、回動連結機構２６を介して上側杆部７ａと下側杆部７ｂを折り曲げ可能に連結している。
【００３７】
≪回動連結機構の構成≫
図９は、本実施形態の回動連結機構を示す分解斜視図である。ここでは、図７および図８を適宜参照しながら説明する。
回動連結機構２６は、図９に示すように、連結ボルト２７によって回動軸芯部が連結される上部連結プレート２８と、この上部連結プレート２８が挟み込まれるように内在される一対の下部連結プレート２９と、この下部連結プレート２９に対する上部連結プレート２８の各回動位置（下側杆部７ｂに対して上側杆部７ａが直線上となす直管位置とこの直管状態から上側杆部２ａが回動折り曲げられる位置）で上部連結プレート２８の回動をロックするロック手段とから構成されている。
【００３８】
上部連結プレート２８および下部連結プレート２９は、適宜の外径を有する円盤形状を形成されて、回動軸芯部にそれぞれ開口されている軸孔３０にわたり貫通状に挿通される連結ボルト２７によって回動可能に連結されるように形成されている。
そして、上部連結プレート２８および下部連結プレート２９は、回動軸芯部を通る対角線上と平行に外周の一部から円周の外方へ向けて所定の幅（上側杆部７ａおよび下側杆部７ｂの杆内直径）にて延設させた杆取付け部３２，３３をそれぞれ備えている。これにより、図７に示すように、上部連結プレート２８および下部連結プレート２９は、上側杆部７ａの下端側および下側杆部７ｂの上端側にそれぞれ挿入内在されてピン止めやネジ止めなどによって取り付けられるように形成されている。
【００３９】
ロック手段は、図９に示すように、上部連結プレート２８および下部連結プレート２９にそれぞれ設けられる直杆位置用のロック孔３４，３５および上部連結プレート側のみに設けられる曲げ位置用のロック孔３６と、下部連結プレート２８のロック孔３５に対して上部連結プレートのロック孔３４，３６がそれぞれ同軸上に合致したときに、両ロック孔３５，３４および３５，３６間にわたり挿脱自在に挿通されるロックピン３７と、このロックピン３７を両ロック孔３５，３４および３５，３６間に対する挿通方向に常時付勢するバネ材３８と、このバネ材３８に抗してロックピン３７を押動させて両ロック孔３５，３４および３５，３６に対する挿通状態（ロック状態）を解除するロック解除操作釦３９とから構成されている。
【００４０】
上部連結プレート２８側に開口される直杆位置用のロック孔３４は、回動軸芯部を通る対角線上と平行とする上側杆部７ａの杆軸線上において開口されている。
そして、円周数ヶ所において開口される曲げ位置用のロック孔３６は、同ロック孔３６および直杆位置用のロック孔３４が開口される上部連結プレート２８の回動円周線上よりも一回りほど大きめの円周線上に沿って所定の円周範囲にて形成されている回動円周孔４０に連通するように、その回動円周孔４０の孔円周内側縁側において円周所定の間隔をおいて開口されている。つまり、下側杆部７ｂに対する上側杆部７ａの折り曲げ角度が円周数ヶ所の曲げ位置用のロック孔３６によって設定可能としている。
【００４１】
一対の下部連結プレート２９側に開口されるロック孔３５は、上部連結プレート２８側のロック孔３４と同じく、回動軸芯部を通る対角線上と平行とする下側杆部３ｂの杆軸線上において開口されている。
また、一対の下部連結プレート２９には、上部連結プレート２８の回動円周孔の開口円周線上において、ロック孔３５が開口する回動軸芯部を通る対角線上と平行とする下側杆部２９の杆軸線上に位置して、ロックピン３７とロック解除操作釦３９とを連繋する連繋ボルト４１が回動円周孔４０を貫通して摺動可能に挿通される連繋孔４２が開口されている。
【００４２】
下部連結プレート２９に対する上部連結プレート２８の各回動位置において回動止めを図るロックピン３７は、図８に示すように、ロック解除操作釦３９が配設される一対の下部連結プレート２９の一方側（図８の紙面左側）に対して他方側（図８の紙面右側）の下部連結プレート２９のロック孔３５の開口軸芯線上において連繋部材４３に一端が固着された状態で配設される。
【００４３】
連繋部材４３は、ロックピン３７を支持するとともに、連繋ボルト４１を介してロック解除操作釦３９とロックピン３７を連繋するものである。この連繋部材４３は、下部連結プレート２９のロック孔３５と連繋孔４２との開口間隔に相当する程度の大きさ（長さ）を有する略長方形の平板状に形成されている。
そして、連結部材４３は、一側短辺側に位置させてロックピン３７の一端を嵌合固着する嵌合凹部４４を突出状に備え、他側短辺側には連繋ボルト４１をナット４５にて螺合固着する固着孔４６を備えている。
【００４４】
ロックピン３７を上部連結プレート２８と下部連結プレート２９とのロック孔３５，３４および３５，３６方向に付勢するバネ材３８は、下側杆部７ｂの上端側に止めネジ４７とナット４８を用いて取り付けられる回動連結機構２６を保護する２分割されたカバー体４９の一方側（図８の紙面右側）の内側に設けられているバネ載置凹部５０と連繋部材４３の嵌合凹部４４の外周とにわたり弾装されるように備えられる。これにより、上部連結プレート２８と下部連結プレート２９とのロック孔３５，３４および３５，３６方向にロックピン３７を常時付勢するようになっている。
【００４５】
そして、このバネ材３８に抗してロック孔３５，３４および３５，３６に対するロックピン３７の挿通状態を解除するロック解除操作釦３９は、カバー体４９の他方側（図８の紙面左側）に設けられている窓孔５１に、連繋ボルト４１に固着された状態で組み込まれて、連繋ボルト４１、連繋部材４３を介して連繋するロックピン３７をバネ材３８に抗してロック孔３５，３４および３５，３６から引き抜く方向に後退させるようになっている。
【００４６】
しかして、このように構成されている回動連結機構２６によれば、親指などでロック解除操作釦３９をバネ材３８に抗して押し込んだ状態で（図８の（ｂ）に示す二点鎖線から実線の状態）、下側杆部７ｂ側の下部連結プレート２９のロック孔３５に対し、上側杆部７ａ側の上部連結プレート２８のロック孔３４を回動位置させたところで、ロック解除操作釦３９から親指などを離すことにより、ロックピン３７は、バネ材３８によって上部連結プレート７ａのロック孔３４を貫通して一対の下部連結プレート２９のロック孔３５間にわたり挿通される（図８の（ａ）参照）。これにより、上側杆部７ａは、図６および図７の（ａ）に示すように、下側杆部７ｂの杆延長線上の直杆位置状態で下側杆部７ｂに固定される。
そして、この直杆状態から上側杆部７ａを曲げるときには、同じくロック解除操作釦３９を押し込み、下側杆部７ｂの下部連結プレート２９のロック孔３５に対し、上側杆部７ａの上部連結プレート２８の何れかの曲げ位置用のロック孔３６を回動位置させることで、図７の（ｂ）に示すように、上側杆部７ａは、折り曲げられた状態で下側杆部７ｂに固定されるものである。
【００４７】
≪足載せステップ構成≫
つぎに、足載せステップ９を説明する。
図１０は、本実施形態に係る足載せステップを示す分解斜視図であり、図１１は、縦断側面図であり、図１２は、車体後方に回動格納させた状態を示す側面図である。
足載せステップ９は、後部フレーム１ｃのメインフレーム１ａへの取り付け部位に回動腕杆３１を介して取り付けられて、着座シート２に座った子供が両足を載せる着座シート２の略下方位置両側から車体１の後方に回動格納されるように備えられる。
この足載せステップ９は、図１０および図１１に示すように、足載せ部９ａと、この足載せ部９ａの前側(載せた足のつま先側)に前後スライド可能に取り付けられる保護部材９ｂとを備えている。
【００４８】
足載せ部９ａは、合成樹脂材料やその他の材料を用いて、略子供の足幅サイズ（靴サイズ）に合わせた大きさを有する平面視で略小判型形状に形成されている。そして、足載せ面９ａ−１における両側長辺側寄りに位置させて保護部材９ｂを前後スライド可能に取り付けるためのピン挿通孔５２を備えている。
また、足載せ部９ａは、足載せ面９ａ−１の前側短辺の両側から両側長辺に至る両側にスリット５３を備えて、足載せ面９ａ−１の裏側に保護部材９ｂの後記するスライド連結片部５４を前後スライド可能に取り付けるように形成されている。
【００４９】
保護部材９ｂは、足幅にてつま先側を覆うように足載せ部９ａに取り付けられるものであり、図１０に示すように、下面、後方開放の平面視で略コ字形状を呈する袋状に形成されている保護部９ｂ−１の下面両側から後方に延設させたスライド連結片部５４を備えている。そして、保護部材９ｂは、両側のスライド連結片部５４に足載せ部９ａのピン挿通孔５２にリベットピン５５などを用いたピン止めによって、前後スライド可能に取り付けるための連結長孔５６を備えている。
【００５０】
このように形成されている足載せステップ９によれば、足載せ部９ａに対する足載せスペースの長さを、保護部材９ｂの前後スライドによって任意に可変することが可能となる。
【００５１】
［作用説明］
つぎに、以上のように構成されている本実施形態に係る三輪車Ａの使用について簡単に説明する。ここでは、図１〜図３、図１２を適宜参照しながら説明する。
まず、ガード８を必要としない子供が乗る場合について説明する。
ガード８を必要としない子供は、前輪４の足踏みペダル３を交互にこぎながら自力で走行する。このとき、足踏みペダル３を踏み込んだ側に前輪４が振られて子供の体も前輪４が振られている方向に振られようとした場合、その動きはサイドガード部１０によって保持（ガード）されて、着座シート２に対する着座姿勢の安定性が図られる。
また、足踏みペダル３を踏み込まずに、両足で地面を交互に蹴りながら乗る場合などには、図１２に示すように、足載せステップ９は、車体１の後方に回動格納させ、なおかつ、保護部材９ｂをスライド後退させて足載せスペースの長さを短く可変しておくことで邪魔にならない。
つまり、車体１の後方に回動格納された足載せステップ９と地面ＧＬとの間隔を、足載せスペースの長さを短く可変することで広くすることができる（図１２のＬ１＜Ｌ２）。これにより、車体１の後方に蹴り込んだ足のかかとなどが足載せステップ９に当たることを防ぐことができる。
【００５２】
また、図１２に示すように、足載せステップ９を車体１後方へ回動格納させたときには、保護部材９ｂをスライド後退させることで（図１２の実線の状態から二点鎖線の状態）、足載せ部９ａの足載せスペースの長さを、図１〜図３および図１１に実線で示す使用状態のときよりも短く可変しておくことで、足踏みペダル３を踏み込まずに両足で地面を交互に蹴りながら乗る場合などに、足載せステップ９は邪魔にならない。
つまり、車体１の後方に回動格納された足載せステップ９と地面ＧＬとの間隔を、足載せスペースの長さを短く可変することで広くすることができる（図１２のＬ１＜Ｌ２）。これにより、車体１の後方に蹴り込んだ足のかかとなどが足載せステップ９に当たることを防ぐことができる。
【００５３】
つぎに、ガード８を必要とする子供が乗る場合について説明する。
ガード８を必要とする子供は、殆どの場合、手押し棒７による保護者の手助けを受けて走行する。このとき、着座シート２に座った子供の両足は、着座シート２の略下方位置両側に回動下げられた両側の足載せステップ９に載せた状態で行われるものであるが、走行中、足載せステップ９の載せられた足は、保護部材９ｂによって車体１の前方などへ移動させることを抑制される。これにより、足載せステップ９の載せられた足が前輪４などの回転部分に挟み込まれることや、小石やその他の障害物に誤って足をぶつけるなどの危険を軽減することができる。
【００５４】
また、図１〜図３に二点鎖線で示されているように、背凭れ部２ｂの上辺部１１の高さと略同じ高さにて車体の前方に張り出すように備えられているサイドガード部１０を利用し、このサイドガード部１０に掛けた状態で子供用のリックサックなどの両肩掛けカバンＢを背凭れ部２ｂの後側に装着しておくことができる。
【００５５】
なお、本考案の実施形態の具体的な構成は、前記の実施形態に限られるものではなく、請求項１〜請求項４に記載の本考案の要旨を逸脱しない範囲で設計変更などがあっても本考案に含まれるものである。
例えば、サイドガード部１０を、背凭れ部２ｂの上辺部１１の高さよりも下げた両側位置などから車体１の前方に向けて張り出すように突設させて備えることできる。つまり、着座シート２に座った子供の体、特に、上半身が左右に振られないように保持（ガード）することができる高さであれば、特に限定されるものではない。
また、サイドガード部１０の車体１前方に向けた張り出し高さやその張り出し形状などにおいても特に限定されるのではない。
【符号の説明】
【００５６】
Ａ      子供用三輪車
１      車体
２      着座シート
２ａ    座部
２ｂ    背凭れ部
３      足踏みペダル
７      手押し棒
８      ガード
９      足載せステップ
９ａ    足載せ部
９ｂ    保護部材
１０    サイドガード部
１１    上辺部（背凭れ部の）
１２    連結機構
３１    回動腕杆
【図１】
0003160614.tif 000003
【図２】
0003160614.tif 000004
【図３】
0003160614.tif 000005
【図４】
0003160614.tif 000006
【図５】
0003160614.tif 000007
【図６】
0003160614.tif 000008
【図７】
0003160614.tif 000009
【図８】
0003160614.tif 000010
【図９】
0003160614.tif 000011
【図１０】
0003160614.tif 000012
【図１１】
0003160614.tif 000013
【図１２】
0003160614.tif 000014